(57)【要約】【課題】専用の照明灯を省き、制御箱あるいは制御基板を小型化し、構成の簡素化、低コスト化を図ることができる天井埋め込み型空気調和機を提供することを目的とする。【解決手段】天井に埋め込み設置されるユニット本体に制御箱が付設され、該制御箱内に制御基板１６が設けられている天井埋め込み型空気調和機において、制御基板１６上にエラーコード表示用のＬＥＤ１９が設置され、少なくとも該ＬＥＤ１９に対して制御箱の蓋の開閉と連動するスイッチ２４を介して電気が給電可能とされている。【選択図】図４
2011232001.tif 000002
【特許請求の範囲】
【請求項１】
天井に埋め込み設置されるユニット本体に制御箱が付設され、該制御箱内に制御基板が設けられている天井埋め込み型空気調和機において、
前記制御基板上にエラーコード表示用のＬＥＤが設置され、少なくとも前記ＬＥＤに対して前記制御箱の蓋の開閉と連動するスイッチを介して電気が給電可能とされていることを特徴とする天井埋め込み型空気調和機。
【請求項２】
前記スイッチを介して前記ＬＥＤに電気が給電可能とされた蓄電装置が設けられていることを特徴とする請求項１に記載の天井埋め込み型空気調和機。
【請求項３】
前記制御基板上にマイコンが設けられ、該マイコンに対しても前記蓄電装置から前記スイッチを介して電気が給電可能とされていることを特徴とする請求項２に記載の天井埋め込み型空気調和機。
【請求項４】
前記制御基板上の前記ＬＥＤの周辺に、少なくとも前記マイコン、マイコン書替え用コネクタ、運転データ出力用コネクタおよび各種ディップスイッチが配設されていることを特徴とする請求項１ないし３のいずれかに記載の天井埋め込み型空気調和機。
【発明の詳細な説明】
【技術分野】
【０００１】
本発明は、ユニット本体が天井裏に埋め込み設置される天井埋め込み型空気調和機に関するものである。
【背景技術】
【０００２】
天井埋め込み型空気調和機は、ユニット本体が天井裏に設置されていることから、昼間や室内側で照明が点灯されている場合でも天井裏が薄暗く、そのため、ユニット本体の側面等に取り付けられている制御箱（コントロールボックス）の点検作業等を行う際、手元に照明を当てる等により明るくしないと作業が困難なことがある。
【０００３】
そこで、制御箱またはその内部に組み込まれている制御基板上に照明灯を設置し、該照明灯を制御箱の蓋を開閉するスイッチと連動して点灯するようにしたものや、主電源が切られている状態であっても、照明灯を点灯することができるように蓄電装置を設けたもの等が提供されている（特許文献１−３参照）。
【先行技術文献】
【特許文献】
【０００４】
【特許文献１】特開平１０−１９３０２号公報
【特許文献２】特開２００１−１８２９６２号公報
【特許文献３】特開２０１０−８００６号公報
【発明の概要】
【発明が解決しようとする課題】
【０００５】
しかしながら、上記特許文献１−３に提示されている構成では、制御箱内またはその内部に組み込まれる制御基板上に、専用の照明灯を設置しなければならないことから、余分な設置スペースが必要となって、その分制御箱あるいは制御基板が大きくなってしまうとともに、構成が複雑化し、コストアップの要因となる等の課題があった。
【０００６】
本発明は、このような事情に鑑みてなされたものであって、専用の照明灯を省き、制御箱あるいは制御基板を小型化し、構成の簡素化、低コスト化を図ることができる天井埋め込み型空気調和機を提供することを目的とする。
【課題を解決するための手段】
【０００７】
上記した課題を解決するために、本発明の天井埋め込み型空気調和機は、以下の手段を採用する。
すなわち、本発明にかかる天井埋め込み型空気調和機は、天井に埋め込み設置されるユニット本体に制御箱が付設され、該制御箱内に制御基板が設けられている天井埋め込み型空気調和機において、前記制御基板上にエラーコード表示用のＬＥＤが設置され、少なくとも前記ＬＥＤに対して前記制御箱の蓋の開閉と連動するスイッチを介して電気が給電可能とされていることを特徴とする。
【０００８】
本発明によれば、制御箱内に設けられている制御基板上にエラーコード表示用のＬＥＤが設置され、少なくとも該ＬＥＤに対して制御箱の蓋の開閉と連動するスイッチを介して電気が給電可能とされているため、天井裏に設置されている天井埋め込み型空気調和機の制御箱を点検する際、制御箱の蓋を開放することにより、連動するスイッチを介してエラーコード表示用のＬＥＤに電気が給電され、該ＬＥＤが点灯されることから、エラーコード表示用のＬＥＤを照明灯として兼用化し、それを照明に所要の点検作業を行うことができる。従って、専用の照明灯を省くことにより、その分制御箱あるいは制御基板を小型化することができるとともに、構成の簡素化、低コスト化を図ることができる。
【０００９】
さらに、本発明の天井埋め込み型空気調和機は、上記の天井埋め込み型空気調和機において、前記スイッチを介して前記ＬＥＤに電気が給電可能とされた蓄電装置が設けられていることを特徴とする。
【００１０】
本発明によれば、制御箱の蓋の開閉と連動するスイッチを介してＬＥＤに電気が給電可能とされた蓄電装置が設けられているため、主電源が切られている状態でも、制御箱の蓋を開くことにより、蓄電装置からエラーコード表示用のＬＥＤに給電し該ＬＥＤを点灯することができる。従って、主電源が切られている状態でもＬＥＤを点灯し、制御箱の点検作業を行うことができる。
【００１１】
さらに、本発明の天井埋め込み型空気調和機は、上記の天井埋め込み型空気調和機において、前記制御基板上にマイコンが設けられ、該マイコンに対しても前記蓄電装置から前記スイッチを介して電気が給電可能とされていることを特徴とする。
【００１２】
本発明によれば、制御基板上にマイコンが設けられ、該マイコンに対しても蓄電装置から制御箱の蓋の開閉と連動するスイッチを介して電気が給電可能とされているため、制御箱の点検時、マイコンを蓄電装置からの給電により動作させながら、所要の点検作業を実行することができる。従って、主電源が切られている状態下であっても、マイコンを動作させ、必要なデータの取り出し等も随時実行することができる。
【００１３】
さらに、本発明の天井埋め込み型空気調和機は、上述のいずれかの天井埋め込み型空気調和機において、前記制御基板上の前記ＬＥＤの周辺に、少なくとも前記マイコン、マイコン書替え用コネクタ、運転データ出力用コネクタおよび各種ディップスイッチ等が配設されていることを特徴とする。
【００１４】
本発明によれば、制御基板上のＬＥＤの周辺に、少なくともマイコン、マイコン書替え用コネクタ、運転データ出力用コネクタおよび各種ディップスイッチ等が配設されているため、制御箱の点検時、少なくともエラーコード表示用のＬＥＤ周辺に配設されているマイコン、マイコン書替え用コネクタ、運転データ出力用コネクタおよび各種ディップスイッチ等に対し、該ＬＥＤを照明灯として設定の確認・変更、バージョンの確認（マイコンの制御ＲＯＭの表面に記載のバージョン情報確認）、コネクタおよび配線の確認、運転データ取得用ケーブルの接続等の作業を行うことができる。従って、点検作業の容易化と効率アップを図ることができる。
【発明の効果】
【００１５】
本発明によると、天井裏に設置されている天井埋め込み型空気調和機の制御箱を点検する際、制御箱の蓋を開放することにより、連動するスイッチを介してエラーコード表示用のＬＥＤに電気が給電され、該ＬＥＤが点灯されることから、エラーコード表示用のＬＥＤを照明灯として兼用化し、それを照明に所要の点検作業を行うことができるため、専用の照明灯を省くことによって、その分制御箱あるいは制御基板を小型化することができるとともに、構成の簡素化、低コスト化を図ることができる。
【図面の簡単な説明】
【００１６】
【図１】本発明の一実施形態に係る天井埋め込み型空気調和機の設置状態を示す概略側面図である。
【図２】図１に示す天井埋め込み型空気調和機のユニット本体の正面図（Ａ）とその平面図（Ｂ）である。
【図３】図１に示す天井埋め込み型空気調和機の制御箱内に設けられる制御基板の一部を示す平面図である。
【図４】図３に示す制御基板上のエラーコード表示用ＬＥＤに対する電気的結線の模式図である。
【発明を実施するための形態】
【００１７】
以下に、本発明の一実施形態について、図１ないし図４を参照して説明する。
図１には、本発明の一実施形態に係る天井埋め込み型空気調和機の設置状態を示す概略側面図が示され、図２には、そのユニット本体の正面図（Ａ）とその平面図（Ｂ）が示されている。ここでは、天井埋め込み型空気調和機１の一例としてダクト形の天井埋め込み型空気調和機について説明する。
天井埋め込み型空気調和機１のユニット本体２は、図１に示されるように、建屋の梁等に鉛直方向に設けられる複数本の吊りボルトを介して天井裏に吊り下げ設置される。
【００１８】
この天井埋め込み型空気調和機１は、室内側から吸い込みグリル３、消音チャンバー４およびダクト５を介して吸い込んだ空気を冷媒と熱交換させて冷却または加熱した後、ダクト６、消音チャンバー７および吹出しグリル８を介して室内に吹出すように構成されている。なお、天井９には、天井埋め込み型空気調和機１のユニット本体２を点検するための点検口１０が設けられている。
【００１９】
ユニット本体２は、図２に示されるように、箱型形状とされており、その内部には、冷媒と空気とを熱交換する熱交換器、室内空気を循環する送風機、熱交換器で発生したドレン水を受けるドレンパン、ドレンパン内に溜まったドレン水を外部に排出するためのドレンポンプ（いずれも図示省略）等が組み込まれている。また、外部には、図２（Ｂ）における前後側面に吊りボルト用のフック金具１１が４箇所に設けられ、左右側面にダクト５および６が接続される吸込み口１２および吹出し口１３が設けられ、更に前方側面に制御箱１４が設けられている。
【００２０】
制御箱１４には、開閉自在とされた蓋１５が設けられており、その内部には、図３に示されるような制御基板１６が収容設置されている。制御基板１６の中央部付近には、制御ＲＯＭ１７を有するマイコン１８が配設されている。なお、ＲＯＭ１７の表面には、そのバージョン情報が記載されている。このマイコン１８に隣接して複数のエラーコード表示用ＬＥＤ１９，２０が配設されている。更に、このエラーコード表示用ＬＥＤ１９，２０の周辺には、マイコン１８の他、制御箱１４の点検時に確認、変更、操作等が行われる機種容量設定、試運転チェックオン／オフ、湿度センサ有効／無効、パワーフルモード有効／無効、停電自動復帰オン／オフ、異常点滅表示オン／オフ等の各種ディップスイッチ群２１、マイコン書替え用のコネクタ２２、運転データ出力用のコネクタ２３等が配設されている。
【００２１】
また、エラーコード表示用ＬＥＤ１９，２０の中の少なくとも一つのＬＥＤ１９に対しては、図４に示されるように、制御箱１４の蓋１５の開閉と連動してオン／オフされるスイッチ２４を介して、蓋１５が開放され、スイッチ２４がオンとされることにより蓄電装置２５から電気が給電可能に構成されている。これによって、エラーコード表示用ＬＥＤ１９は、制御箱１４の点検時、制御基板１６の周辺を照らす照明灯として兼用化されるようになっている。
【００２２】
さらに、蓄電装置２５は、空気調和機１が運転されている間に充電可能な電池（バッテリ）あるいはキャパシタ等によって構成することができ、エラーコード表示用ＬＥＤ１９に限らず、マイコン１８に対しても同様に給電可能とされている。なお、エラーコード表示用ＬＥＤ１９は、一般に赤色、緑色等とされる場合が多いが、上記の如く、照明と兼用化されるＬＥＤ１９については、白色とすればよい。
【００２３】
以上に説明の構成により、本実施形態によれば、以下の作用効果を奏する。
天井裏に設置されている天井埋め込み型空気調和機１の制御箱１４の点検作業は、天井９に設けられている点検口１０を開くことにより実施される。この点検作業は、一般に空気調和機１の主電源を切った状態で行われるが、天井裏は昼間でもあるいは室内の照明が点灯されていても暗い場合が多く、点検作業がし難い。そこで、制御箱１４の蓋１５が開放されたとき、それと連動してスイッチ２４がオンされ、このスイッチ２４を介して蓄電装置２５からエラーコード表示用ＬＥＤ１９に給電されるようになっているため、ＬＥＤ１９を点灯し、これを照明灯として点検作業を行うことができる。
【００２４】
ここでの点検作業は、例えば各種ディップスイッチ群２１の設定確認および変更、ヒューズの確認、マイコン１８用の制御ＲＯＭ１７のバージョン確認、コネクタおよび配線の確認、運転データ取り出し用ケーブルのコネクタ２３への接続等であり、これらはＬＥＤ１９の周りに配設されているため、ＬＥＤ１９からの照明によって、それらの点検作業を十分行うことが可能である。
【００２５】
このように、本実施形態によれば、エラーコード表示用のＬＥＤ１９を照明灯として兼用化し、それを照明として所要の点検作業を行うことができる。このため、専用の照明灯を設置する必要がなく、その設置を省略することによって、制御箱１４あるいは制御基板１６をコンパクト化することができるとともに、構成を簡素化、低コスト化を図ることができる。
【００２６】
また、上記エラーコード表示用ＬＥＤ１９に対しては、制御箱１４の蓋１５の開閉と連動するスイッチ２４を介して蓄電装置２５から電気が給電可能とされているため、空気調和機１の主電源が切られている状態でも、制御箱１４の蓋１５を開くことにより、蓄電装置２５からＬＥＤ１９に給電し、該ＬＥＤ１９を点灯することができる。従って、主電源が切られている状態であっても、ＬＥＤ１９を点灯し、制御箱１４の点検作業を行うことができる。
【００２７】
加えて、上記蓄電装置２５からは、制御基板１６上に設けられているマイコン１８に対しても、制御箱１４の蓋１５の開閉と連動するスイッチ２４を介して電気が給電可能とされている。このため、制御箱１４の点検時、マイコン１８を蓄電装置２５からの給電により動作させながら、所要の点検作業を実行することができる。従って、主電源が切られている状態下であっても、マイコン１８を動作させ、必要なデータの取り出し等も随時実行することが可能となる。
【００２８】
さらに、制御基板１６上のＬＥＤ１９の周辺に、マイコン１８、各種ディップスイッチ群２１、マイコン書替え用コネクタ２２、運転データ出力用コネクタ２３等が配設されているため、制御箱１４の点検時、少なくともエラーコード表示用ＬＥＤ１９周辺に配設されているマイコン１８、ディップスイッチ群２１、マイコン書替え用コネクタ２２、運転データ出力用コネクタ２３等に対し、ＬＥＤ１９を照明灯として設定の確認・変更、バージョン確認（マイコン１８の制御ＲＯＭ１７の表面に記載のバージョン情報確認）、コネクタおよび配線の確認、運転データ取得用ケーブルの接続等の作業を行うことができ、点検作業の容易化と効率アップを図ることができる。
【００２９】
なお、本発明は、上記実施形態にかかる発明に限定されるものではなく、その要旨を逸脱しない範囲において、適宜変形が可能である。例えば、上記実施形態では、ダクト形の天井埋め込み型空気調和機１を例に説明したが、他のカセテリア形の天井埋め込み型空気調和機等にも同様に適用できることは云うまでもない。また、１個のエラーコード表示用ＬＥＤ１９を照明灯と兼用化した例について説明したが、これに限らず、複数個のＬＥＤを兼用化してもよい。
【００３０】
さらに、エラーコード表示用ＬＥＤ１９による周辺部への照明効果を高めるため、少なくともＬＥＤ１９を制御基板１６の表面より少し高い位置に設置することによって、ＬＥＤ１９による照明範囲を広げるようにしてもよい。
【符号の説明】
【００３１】
１  天井埋め込み型空気調和機
２  ユニット本体
１４  制御箱
１５  蓋
１６  制御基板
１８  マイコン
１９  エラーコード表示用ＬＥＤ
２１  各種ディップスイッチ
２２  マイコン書替え用コネクタ
２３  運転データ出力用コネクタ
２４  スイッチ
２５  蓄電装置
【図１】
2011232001.tif 000003
【図２】
2011232001.tif 000004
【図３】
2011232001.tif 000005
【図４】
2011232001.tif 000006